(57)【特許請求の範囲】
【請求項１】
メモリに制御部を接続し、該制御部から前記メモリに出力される活性化信号に基づいて、前記メモリに対するスラット制御データの書き込み動作あるいは読み出し動作を可能とした電動ブラインドの制御装置において、
前記スラット制御データの書き込み操作時を除いて前記活性化信号を無効化し、前記メモリに対する書き込み動作を禁止する禁止手段を設け、該禁止手段は、前記スラット制御データの書き込み操作時を除いて、前記メモリの活性化信号入力端子の電圧レベルを、前記活性化信号を無効化する電圧レベルに固定する電圧固定回路で構成したことを特徴とする電動ブラインドの制御装置。
【請求項２】
前記電圧固定回路は、前記スラット制御データの読み出し操作時に、前記メモリの活性化信号入力端子に前記活性化信号を供給可能としたことを特徴とする請求項１に記載の電動ブラインドの制御装置。
【請求項３】
前記電圧固定回路は、電源の供給に基づいて、所定の時定数で充電される容量で構成したことを特徴とする請求項１又は請求項２に記載の電動ブラインドの制御装置。
【請求項４】
前記電圧固定回路には、前記スラット制御データの書き込み操作時にのみ操作されて、前記メモリの活性化信号入力端子に活性化信号を供給可能とした設定スイッチを備えたことを特徴とする請求項１乃至３のいずれかに記載の電動ブラインドの制御装置。
【請求項５】
電源の供給に基づいて充電される容量と、該容量に並列に接続され、前記容量の充電電荷を放電可能とする設定スイッチとを備えた電圧固定回路を備え、
制御部からメモリに出力される活性化信号に基づく前記メモリへのスラット制御データの書き込み動作は、前記設定スイッチの操作により前記メモリのＲｅｓｅｔ端子に前記活性化信号を出力可能とする時のみとしたことを特徴とする電動ブラインドの制御装置。
【発明の詳細な説明】
【０００１】
【発明の属する技術分野】
この発明は、電動ブラインドの制御装置に関し、特にスラット昇降時における上限値及び下限値の設定データを格納する記憶手段の制御に関するものである。
【０００２】
【従来の技術】
電動ブラインドにおけるブラインド開度（スラット昇降時における上限値及び下限値）等の設定データは、ブラインドコントローラ内において、ＣＰＵに接続されるメモリ（ＥＥＰＲＯＭ）に格納される。そして、この設定データの読み書きは、前記メモリのＣＳ（チップセレクト）端子及びＲｅｓｅｔ（リセット）端子の電圧レベルが、Ｌレベル（０Ｖ付近）にあるとき、ＤＩ（データイン）端子及びＤＯ（データアウト）端子を経由して行われる。
【０００３】
通常、メモリのＣＳ端子及びＲｅｓｅｔ端子をＨレベル（５Ｖ付近）あるいはＬレベルにする制御はＣＰＵによって行われる。そして、ＣＰＵとメモリは、配線により常時接続されているため、ＣＰＵからの指示があればいつでもメモリに対してデータの読み書きができる状態になっている。
【０００４】
従来、データの書き込みをする場合には、スラット昇降時における上限値あるいは下限値の設定を行う設定スイッチを放すと、ＣＰＵの指示によってメモリのＲｅｓｅｔ端子が一定時間ＨレベルからＬレベルに移行する。そして、前記Ｒｅｓｅｔ端子がＬレベルの状態にあるときに、データが書き込まれる。
【０００５】
すなわち、図８に示すように、従来の構成における設定データの書き込み時はタイミングｔ６で設定スイッチを放すと、ＣＰＵの指示によってＲｅｓｅｔ端子の電圧レベルがＨレベルからＬレベルに移行する。そして、一定時間経過後、タイミングｔ７において再びＣＰＵの指示によってＲｅｓｅｔ端子の電圧レベルはＨレベルに移行する。従って、このタイミングｔ６〜ｔ７の間にＤＩ端子を経由して、スラット昇降時の上限設定値あるいは下限設定値がメモリに書き込まれる。
【０００６】
一方、データの読み出しをする場合には、電動ブラインドの電源投入後、ＣＰＵの指示によってメモリのＲｅｓｅｔ端子が一定時間ＨレベルからＬレベルに移行する。そして、前記Ｒｅｓｅｔ端子がＬレベルの状態にあるときに、データが読み出される。
【０００７】
すなわち、図７に示すように、従来の構成における設定データの読み出し時はタイミングｔ８で電源投入後、Ｒｅｓｅｔ端子の電圧レベルはＬレベルからＨレベルに移行し、タイミングｔ９において、ＣＰＵの指示によりＲｅｓｅｔ端子の電圧レベルはＬレベルに移行する。そして、一定時間経過後、タイミングｔ１０において、再びＣＰＵの指示によってＲｅｓｅｔ端子の電圧レベルはＨレベルに移行する。従って、このタイミングｔ９〜ｔ１０の間にＤＯ端子を経由して、前記上限設定値及び下限設定値がメモリから読み出される。
【０００８】
【発明が解決しようとする課題】
ところが、上記したように従来の構成において、メモリに設けられたＣＳ端子及びＲｅｓｅｔ端子をＨレベルあるいはＬレベルにする制御は、前記メモリに常時接続されるＣＰＵの指示によって行われる。
【０００９】
このため、スラット昇降用モータ等のノイズ発生源の影響によりＣＰＵが誤動作を起こすと、前記メモリに格納されているブラインド開度等の設定データが誤って書き替えられてしまうことがあるという問題を抱えていた。従って、設定データの誤書き込みが発生したときは、正しいデータを再入力する必要があるという不具合を生じていた。
【００１０】
従来、上記のような問題を解決する第一の手段として、ＣＰＵとモータとの間にノイズフィルターを設け、前記ＣＰＵに侵入するノイズを阻止することで前記ＣＰＵの誤動作を防止するといった構成が提案されている。
【００１１】
また、第二の手段として、ＣＰＵと前記ノイズ発生源とを極力遠ざけて回路を構成するといった方法が提案されている。
ところが、第一の手段では、ノイズフィルター等によって全てのノイズを阻止することは困難であるとともに、前記ノイズフィルター等を用いてのＣＰＵの誤動作防止回路の構成は、コストアップにつながる原因にもなっていた。
【００１２】
また、第二の手段では、ＣＰＵからノイズ発生源を遠ざける回路構成は、基板寸法が大きくなるためヘッドボックス内への収容に支障をきたすという問題点がある。
【００１３】
この発明は、前記従来の構成が抱えていた問題を解決するためになされたものであり、その目的は、メモリへの誤書き込みを確実に防止し得る機能を備えた電動ブラインドの制御装置を提供することにある。
【００１４】
【課題を解決するための手段】
請求項１では、メモリに制御部を接続し、該制御部から前記メモリに出力される活性化信号に基づいて、前記メモリに対するスラット制御データの書き込み動作あるいは読み出し動作を可能とした電動ブラインドの制御装置において、前記スラット制御データの書き込み操作時を除いて前記活性化信号を無効化し、前記メモリに対する書き込み動作を禁止する禁止手段を設け、該禁止手段は、前記スラット制御データの書き込み操作時を除いて、前記メモリの活性化信号入力端子の電圧レベルを、前記活性化信号を無効化する電圧レベルに固定する電圧固定回路で構成した。
【００１６】
請求項２では、前記電圧固定回路は、前記スラット制御データの読み出し操作時に、前記メモリの活性化信号入力端子に前記活性化信号を供給可能とした。
請求項３では、前記電圧固定回路は、電源の供給に基づいて、所定の時定数で充電される容量で構成した。
【００１７】
請求項４では、前記電圧固定回路には、前記スラット制御データの書き込み操作時にのみ操作されて、前記メモリの活性化信号入力端子に活性化信号を供給可能とした設定スイッチを備えた。
【００１８】
請求項５では、電源の供給に基づいて充電される容量と、該容量に並列に接続され、前記容量の充電電荷を放電可能とする設定スイッチとを備えた電圧固定回路を備え、制御部からメモリに出力される活性化信号に基づく前記メモリへのスラット制御データの書き込み動作は、前記設定スイッチの操作により前記メモリのＲｅｓｅｔ端子に前記活性化信号を出力可能とする時のみとした。
【００１９】
【発明の実施の形態】
以下、この発明を具体化した一実施の形態を図１〜図６に基づいて説明する。図１に示すように、パソコンで構成されるメインコントローラ１には、信号線２を介して複数のフロアコントローラ３が接続される。また、この各フロアコントローラ３には、前記信号線２を介して複数のブラインドコントローラ４が接続される。
【００２０】
そして、前記メインコントローラ１は、該メインコントローラ１にあらかじめ設定されたプログラムに基づいて、操作信号を前記フロアコントローラ３に出力する。前記フロアコントローラ３には、あらかじめ任意のエリア内において前記ブラインドコントローラ４の動作を制御するためのプログラムが設定され、このプログラムと前記メインコントローラ１との操作信号に基づいて、前記ブラインドコントローラ４に操作信号を出力する。
【００２１】
前記ブラインドコントローラ４は、各電動ブラインドのヘッドボックスに内蔵され、該電動ブラインドのスラット昇降動作及び角度調節動作を制御する。
また、前記各ブラインドコントローラ４には、各電動ブラインドに設けられた手元スイッチ５がそれぞれ接続され、この手元スイッチ５の操作に基づき、前記電動ブラインドのスラット昇降動作及び角度調節動作を制御可能となっている。
【００２２】
前記各電動ブラインドの電気的構成を図２に示す。ブラインドコントローラ４に設けられた電源部６は、前記電動ブラインドの各回路に電源を供給する。前記ブラインドコントローラ４内に設けられたＣＰＵ７には、前記電源部６が接続されるとともに、入力部８が接続され、この入力部８を介して前記手元スイッチ５の出力信号が、前記ＣＰＵ７に入力される。
【００２３】
前記ＣＰＵ７に接続された入出力部９は、前記信号線２を介して同一エリア内の他の電動ブラインドの入出力部に接続される。すなわち、前記手元スイッチ５から前記ＣＰＵ７に入力された操作信号のうち、他の電動ブラインドを操作するための操作信号は、前記入出力部９から前記信号線２を介して他の電動ブラインドの入出力部に入力される。また、他の電動ブラインドから出力された操作信号が、前記入出力部９を介して前記ＣＰＵ７に入力される。
【００２４】
前記ＣＰＵ７に接続されたＬＥＤ表示部１０は、ヘッドボックス下面に露出される複数の発光ダイオードを駆動するものであり、前記ＣＰＵ７から出力される制御信号に基づいて、各発光ダイオードを点灯させる。
【００２５】
前記ＣＰＵ７に接続された第１のモータ駆動部１１は、前記ＣＰＵ７から出力されるモータ制御信号に基づいて、ヘッドボックス内に配設されるスラット昇降用モータ１２を駆動する。
【００２６】
前記ＣＰＵ７に接続された第２のモータ駆動部１３は、前記ＣＰＵ７から出力されるモータ制御信号に基づいて、ヘッドボックス内に配設されるスラット角度調節用モータ１４を駆動する。
【００２７】
前記ＣＰＵ７に接続されたエンコーダ１５は、ヘッドボックス内において前記スラット昇降用モータ１２で回転駆動されるスラット昇降軸の回転をパルス信号に変換して前記ＣＰＵ７に出力するものであり、該ＣＰＵ７では、そのパルス数をカウントしてスラット昇降軸の回転角度及び回転方向を検出する。
【００２８】
前記ＣＰＵ７に接続された上限リミットスイッチ１６は、スラットが上限まで引き上げられたとき、検出信号を前記ＣＰＵ７に出力し、下限リミットスイッチ１７は、スラット昇降テープの弛みを検出して、その検出信号を前記ＣＰＵ７に出力する。
【００２９】
前記ＣＰＵ７に接続されたメモリ（ＥＥＰＲＯＭ）１８には、ブラインド開度を決定するスラット昇降時の上限設定値あるいは下限設定値が格納される。そして、前記電源部６より電源が供給されると、あらかじめ設定されている前記上限設定値及び下限設定値が前記メモリ１８から読み出される。
【００３０】
前記ＣＰＵ７に接続された上下限設定部１９の構成を図３に示す。この上下限設定部１９は、ＵＰスイッチ２０、ＤＯＷＮスイッチ２１、設定スイッチ２２を備え、スラット昇降時における上限値及び下限値の設定データを前記メモリ１８に格納可能となっている。
【００３１】
図４は、前記ＣＰＵ７と前記メモリ１８との具体的な接続構成を示す。
前記ＣＰＵ７は、前記メモリ１８のＤＩ（データイン）端子、ＤＯ（データアウト）端子、ＣＳ（チップセレクト）端子、Ｒｅｓｅｔ（リセット）端子に、それぞれ接続される。
【００３２】
スラット昇降時における上限値及び下限値の設定データの書き込みは、前記ＣＳ端子及びＲｅｓｅｔ端子がともにＬレベルにあるときに前記ＤＩ端子を介して行われる。また、前記設定データの読み出しは、前記ＣＳ端子及びＲｅｓｅｔ端子がともにＬレベルにあるときに前記ＤＯ端子を介して行われる。
【００３３】
前記電源部６から電源電圧Ｖｃｃが供給される電源端子は、抵抗Ｒを介して前記ＣＰＵ７及び前記メモリ１８のＲｅｓｅｔ端子に接続される。電圧固定回路Ａを構成する容量Ｃの一端は前記抵抗Ｒに接続されるとともに他端は接地される。また、前記電圧固定回路Ａの前記容量Ｃには、前記上下限設定部１９の設定スイッチ２２が並列に接続される。通常、前記設定スイッチ２２は非導通状態にあり、該設定スイッチ２２の押圧操作により導通状態となる。
【００３４】
従って、前記電源部６の電源立ち上げ時、あるいは電源投入後に前記上下限設定部１９の設定スイッチ２２を導通状態から非導通状態に操作した時は、抵抗Ｒを介して容量Ｃが充電され、前記メモリ１８のＲｅｓｅｔ端子の電圧レベルはＬレベルから徐々に上昇する。そして、一定時間経過後、前記Ｒｅｓｅｔ端子の電圧レベルがＨレベルに移行した後は、このＨレベルの状態が維持される。
【００３５】
すなわち、前記容量Ｃによって前記Ｒｅｓｅｔ端子の電圧レベルがＨレベルに維持されると、前記メモリ１８が前記ＣＰＵ７によって制御されることはない。
次に、上記のように構成された電動ブラインドの動作について説明する。
【００３６】
図６は、スラット昇降時における上限値及び下限値の設定データをメモリ１８に書き込む場合における、該メモリ１８のＲｅｓｅｔ端子及びＤＩ端子での電圧波形を示す。
【００３７】
タイミングｔ１は設定スイッチ２２を押したタイミング、タイミングｔ２は設定スイッチ２２を放したタイミング、タイミングｔ３はＲｅｓｅｔ端子の電圧レベルが閾値Ｖｔｈを越えるタイミングを示し、その閾値は、例えば電源電圧Ｖｃｃを５Ｖとしたときは、約２．５Ｖである。
【００３８】
さて、スラット昇降時の上限値を設定するには、上下限設定部１９の設定スイッチ２２を押す。すると、前記設定スイッチ２２は導通状態となり、Ｒｅｓｅｔ端子の電圧レベルは、図６に示すように、タイミングｔ１でＨレベルからＬレベルになる。すなわち、設定スイッチ２２を押した状態では、ＣＳ端子及びＲｅｓｅｔ端子ともにＬレベルとなり、設定データをメモリ１８に書き込み可能となる。
【００３９】
次いで、設定スイッチ２２を押したまま、ＵＰスイッチ２０を寸押しすると、最下段のスラットから上昇し始め、該スラットが所望の高さにまで達したところで前記設定スイッチ２２を放す。すると、スラットの引き上げ動作が停止し、該設定スイッチ２２を放したときの最下段のスラットの位置が、スラット昇降時の上限値となる。
【００４０】
タイミングｔ２において、前記設定スイッチ２２を放した後は、容量Ｃが徐々に充電されてＲｅｓｅｔ端子の電圧レベルは上昇し始め、タイミングｔ３において、Ｒｅｓｅｔ端子の電圧レベルはＨレベルとなる。従って、前記上限値として設定したデータは、Ｒｅｓｅｔ端子がＬレベルの状態にあるタイミングｔ２〜ｔ３の間に、ＤＩ端子を経由してメモリ１８に書き込まれる。
【００４１】
一方、スラット昇降時の下限値を設定するには、Ｒｅｓｅｔ端子の電圧レベルがＨレベルの状態にあるとき、再び設定スイッチ２２を押してＲｅｓｅｔ端子の電圧レベルをＬレベルとし、設定スイッチ２２を押したままＤＯＷＮスイッチ２１を寸押しする。
【００４２】
すると、スラットが下降し始め、最下段のスラットが所望の高さまで下降したところで設定スイッチ２２を放すと、該スラットの位置が下限値となる。そして、Ｒｅｓｅｔ端子の電圧レベルがＬレベルの状態にあるタイミングｔ２〜ｔ３の間に、下限値として設定したデータがＤＩ端子を経由してメモリ１８に書き込まれる。
【００４３】
図５は、スラット昇降時における上限値及び下限値を上記のように設定したデータをメモリ１８から読み出す場合における、該メモリ１８のＲｅｓｅｔ端子及びＤＯ端子での電圧波形を示す。タイミングｔ４は電源投入後のタイミング、タイミングｔ５はＲｅｓｅｔ端子の電圧レベルが閾値Ｖｔｈを越えるタイミングを示す。
【００４４】
さて、タイミングｔ４において、電動ブラインドの電源が投入されると、容量Ｃが充電され始め、Ｒｅｓｅｔ端子の電圧レベルは徐々に上昇し始める。そして、タイミングｔ５において、Ｒｅｓｅｔ端子の電圧レベルがＨレベルとなるまでに、メモリ１８のＤＯ端子から設定データがＣＰＵ７に読み出され、ＣＰＵ７は読み出した設定データに基づいて、スラットの昇降動作の制御を行う。
【００４５】
従って、上記のように構成された電動ブラインドでは、以下に示す作用効果を得ることができる。
（１）上下限設定部１９の設定スイッチ２２を押して導通状態にし、メモリ１８のＲｅｓｅｔ端子の電圧レベルをＬレベルとした後、設定スイッチ２２を放して非導通状態にすると設定データがメモリ１８に書き込まれる。従って、設定スイッチ２２の操作によって設定データの書き込みが可能となる。
【００４６】
（２）設定データがメモリ１８に書き込まれた後、Ｒｅｓｅｔ端子の電圧レベルは閾値Ｖｔｈを越えてＨレベルに保持される。従って、ＣＰＵ７の誤動作によってＲｅｓｅｔ端子の電圧レベルがＬレベルとなるのを防止できるため、間違った設定データが書き込まれることはない。
【００４７】
（３）電源投入後、抵抗Ｒを介して容量Ｃが充電され始め、設定データをメモリ１８から読み出した後、Ｒｅｓｅｔ端子の電圧レベルは閾値Ｖｔｈを越えてＨレベルに保持される。従って、ＣＰＵ７の誤動作によってＲｅｓｅｔ端子の電圧レベルがＬレベルとなるのを防止できるため、間違った設定データが書き込まれることはない。
【００４８】
（４）ノイズフィルター回路等の追加の必要がないため、電動ブラインドの低コスト化に貢献できる。
（５）ＣＰＵ７からノイズ発生源を遠ざけて構成する必要がないため、基板の配線レイアウトを単純化でき、基板寸法を縮小することができる。
【００４９】
（６）電動ブラインドにおいて、ノイズ発生源は複数想定されるため、ＣＰＵ７の誤動作の原因となるノイズ発生源を特定することは困難である場合が少なくない。ところが、本実施の形態のような構成を用いれば、容量Ｃによってメモリ１８のＲｅｓｅｔ端子の電圧レベルがＨレベルに保持される限り、ＣＰＵ７からの指示による設定データの読み書き操作が禁止されるため、ノイズ発生源が特定できない場合でも、ＣＰＵ７の誤動作による設定データの誤書き込みを防止できる。
【００５０】
なお、上記実施の形態は、次に示すように変更してもよい。
・前記設定データのメモリ１８からの読み出しは、電源投入後においてスイッチを用いることにより行うこととしてもよい。
【００５１】
次に、前記実施の形態から把握できる請求項に記載した発明以外の技術的思想について記載する。
（１）電源の供給により充電される容量を備え、前記電源の投入後における前記容量の充電電荷によって、メモリのＲｅｓｅｔ端子の電圧レベルが閾値を越え、ＬレベルからＨレベルに移行するまでの時間にのみ、前記メモリから設定データを読み出し可能とした。
【００５２】
（２）容量と、該容量に並列に接続される設定スイッチとを備え、前記容量の充放電操作を可能とする前記設定スイッチの操作によって、前記メモリのＲｅｓｅｔ端子の電圧レベルが閾値を越え、ＬレベルからＨレベルに移行するまでの時間にのみ、前記メモリへ設定データを書き込み可能とした。
【００５３】
【発明の効果】
以上詳述したように、この発明は、メモリへの誤書き込みを確実に防止し得る機能を備えた電動ブラインドの制御装置を提供することができる。
【図面の簡単な説明】
【図１】電動ブラインドの制御装置を示す概略図である。
【図２】電動ブラインドの電気的構成を示すブロック図である。
【図３】電動ブラインドの上下限設定部を示す概略図である。
【図４】電動ブラインドのＣＰＵとメモリとの具体的な接続構成を示す図である。
【図５】設定データの読み出し時におけるメモリのＤＯ端子及びＲｅｓｅｔ端子の電圧波形図である。
【図６】設定データの書き込み時におけるメモリのＤＩ端子及びＲｅｓｅｔ端子の電圧波形図である。
【図７】従来構成での設定データの読み出し時におけるメモリのＤＯ端子及びＲｅｓｅｔ端子の電圧波形図である。
【図８】従来構成での設定データの書き込み時におけるメモリのＤＩ端子及びＲｅｓｅｔ端子の電圧波形図である。
【符号の説明】
７      制御部（ＣＰＵ）
１８    メモリ
Ａ      禁止手段（電圧固定回路）
【図１】
0003563674.tif 000002
【図２】
0003563674.tif 000003
【図３】
0003563674.tif 000004
【図４】
0003563674.tif 000005
【図５】
0003563674.tif 000006
【図６】
0003563674.tif 000007
【図７】
0003563674.tif 000008
【図８】
0003563674.tif 000009